(57)【要約】【課題】一つのレンズの内面に、着用者の視力に合う度付きレンズを一体に粘着又は接着し、着用感に優れているだけでなく、鮮明な立体画像を視聴することができる立体（３Ｄ）画像視聴用視力矯正レンズ組立体を提供する。【解決手段】ＬＣＤパネルレンズ部（アクティブ方式）を通して立体画像を視聴できるように構成した立体（３Ｄ）画像視聴用レンズ組立体において、立体画像を提供するＬＣＤパネルレンズ部の内側（着用者の目側）に視力矯正用度付きレンズを結合したことを特徴とする立体（３Ｄ）画像視聴用視力矯正レンズ組立体を構成する。【選択図】図１
2011227431.tif 000002
【特許請求の範囲】
【請求項１】
ＬＣＤパネルレンズ部（アクティブ方式）を通して立体画像を視聴できるように構成した立体（３Ｄ）画像視聴用レンズ組立体において、
立体画像を提供するＬＣＤパネルレンズ部の内側（着用者の目側）に視力矯正用度付きレンズを結合したことを特徴とする立体（３Ｄ）画像視聴用視力矯正レンズ組立体。
【請求項２】
前記ＬＣＤパネルレンズ部の内側に装着される度付きレンズは、粘着又は接着によってＬＣＤパネルレンズ部に一体に結合したことを特徴とする、請求項１に記載の立体（３Ｄ）画像視聴用視力矯正レンズ組立体。
【請求項３】
前記ＬＣＤパネルレンズ部は
中央に配設される液晶パネルと、前記液晶パネルの両側面に接合されるガラスパネルと、前記ガラスパネルの外面に付加されるＴＡＣパネルと、前記ＴＡＣパネルの外面に接合されるＰＶＡパネルと、前記ＰＶＡパネルの外面に接合されるＴＡＣパネルと、前記外側のＴＡＣパネルに接合される位相差フィルムと、を含んで構成されたことを特徴とする、請求項１に記載の立体（３Ｄ）画像視聴用視力矯正レンズ組立体。
【請求項４】
前記度付きレンズは、ＣＲ、ＰＣ、ガラス、アクリル及び有機化合物のうちいずれか一つを用いて製造したことを特徴とする、請求項１に記載の立体（３Ｄ）画像視聴用視力矯正レンズ組立体。
【請求項５】
前記ＬＣＤパネルレンズ部は、
中央に配設される液晶パネルと、前記液晶パネルの両側面に接合されるガラスパネルと、前記ガラスパネルの外面に付加されるＰＣパネルと、前記ＰＣパネルの外面に接合されるＰＶＡパネルと、前記ＰＶＡパネルの外面に接合されるＰＣパネルと、前記外側のＰＣパネルに接合される位相差フィルムと、を含んで構成されたことを特徴とする、請求項１に記載の立体（３Ｄ）画像視聴用視力矯正レンズ組立体。
【請求項６】
前記度付きレンズは、
外面が平面で、内面が凹面又は凸面であることを特徴とする、請求項１に記載の立体（３Ｄ）画像視聴用視力矯正レンズ組立体。
【請求項７】
前記度付きレンズは、
外面が凸面で、内面が凹面又は凸面であることを特徴とする、請求項１に記載の立体（３Ｄ）画像視聴用視力矯正レンズ組立体。
【請求項８】
前記ＬＣＤパネルレンズ部に位相差フィルムをさらに付着して構成したことを特徴とする、請求項１に記載の立体（３Ｄ）画像視聴用視力矯正レンズ組立体。
【発明の詳細な説明】
【技術分野】
【０００１】
本発明は、立体（３Ｄ）画像視聴用視力矯正レンズ組立体に関するもので、より具体的には、一つのレンズに、立体画像を視聴できる機能と視力矯正用レンズの機能を一体化した立体（３Ｄ）画像視聴用レンズ組立体に関するものである。
【背景技術】
【０００２】
立体画像を具現する画像技術は、アクティブ方式（ＬＣＤを用いる方式）とパッシブ方式（偏光フィルムを用いる方式）に分けられる。このうち、アクティブ方式は、偏光層／ガラス液晶／偏光層の構造となっており、偏光層は、ＴＡＣ／ＰＶＡ／ＴＡＣの構造又はＰＣ／ＰＶＡ／ＰＣの構造となっている。
このようなレンズで構成された３Ｄアクティブ眼鏡を度付き眼鏡の上に重ねてかける構造は、眼鏡の上に眼鏡をかける形式であるので、ユ−ザに不便さを与えるおそれがある。また、眼鏡の度付きレンズと液晶レンズとの間の空間で光が屈折したり、光の透過率が低下するので、鮮明な画質の視聴が難しいという問題があった。
したがって、本発明は、視力が異なる各ユ−ザに与える不便さを解消し、鮮明な立体画像を視聴できる立体（３Ｄ）画像視聴用レンズ組立体の問題を解決する。
【発明の概要】
【発明が解決しようとする課題】
【０００３】
本発明は、前記のような問題を解消するためのもので、その目的は、一つのレンズの内面に、着用者の視力に合う度付きレンズを一体に粘着又は接着し、着用感に優れているだけでなく、鮮明な立体画像を視聴することができる立体（３Ｄ）画像視聴用視力矯正レンズ組立体を提供することにある。
【課題を解決するための手段】
【０００４】
前記目的を達成するための本発明は、ＬＣＤパネルレンズ部（アクティブ方式）を通して立体画像を視聴できるように構成したＬＣＤパネルレンズ部の内側（着用者の目側）に視力矯正用度付きレンズを結合したことを特徴とする。
前記目的を達成するために、本発明は、中央に配設される液晶パネルと、前記液晶パネルの両側面に接合されるガラスパネルと、前記ガラスパネルの外面に付加されるＴＡＣパネルと、前記ＴＡＣパネルの外面に接合されるＰＶＡパネルと、前記ＰＶＡパネルの外面に接合されるＴＡＣパネルと、前記外側のＴＡＣパネルに付加される位相差フィルムと、内側のＴＡＣパネルに接合される度付きレンズと、を含んで構成したことを特徴とする立体（３Ｄ）画像視聴用レンズ組立体に関するものである。
また、度付きレンズは、ＣＲ、ＰＣ、ガラス、アクリルのうちいずれか一つを用いて製造した。
本発明の他の構造は、中央に配設される液晶パネルと、前記液晶パネルの両側面に接合されるガラスパネルと、前記ガラスパネルの外面に付加されるＰＣパネルと、前記ＰＣパネルの外面に接合されるＰＶＡパネルと、前記ＰＶＡパネルの外面に接合されるＰＣパネルと、前記外側のＰＣパネルに付加される位相差フィルムと、内側のＴＡＣパネルに粘着又は接着される度付きレンズと、を含んで構成したことを特徴とする立体（３Ｄ）画像視聴用レンズ組立体に関するものである。
【発明の効果】
【０００５】
本発明においては、立体画像視聴用レンズに度付きレンズが一体型で結合されているので、別途の度付き眼鏡を着用せずに立体画像を視聴できるという非常に有用な効果がある。
また、立体画像視聴用レンズに、視力が悪い視聴者の視力に合わせて加工した度付きレンズを一体に結合し、着用感が便利なだけでなく、鮮明な立体画像を視聴できる立体（３Ｄ）画像視聴用レンズ組立体を製造できるという効果がある。
また、立体画像を視聴するためにレンズの上に度付き眼鏡を着用する場合のように二つの眼鏡を使用することがないので、優れた立体画質を便利に鑑賞することができ、より興味深く立体画像を鑑賞することができる。
【図面の簡単な説明】
【０００６】
【図１】本発明の立体（３Ｄ）画像視聴用眼鏡を示した斜視図である。
【図２】本発明の立体（３Ｄ）画像視聴用レンズ組立体を示した分解断面図である。
【図３】本発明の立体（３Ｄ）画像視聴用レンズ組立体を示した分解断面図である。
【図４】本発明の立体（３Ｄ）画像視聴用レンズ組立体を示した分解断面図である。
【図５】本発明の立体（３Ｄ）画像視聴用レンズ組立体を示した分解断面図である。
【発明を実施するための形態】
【０００７】
以下、本発明の全体的な構成状態及びこれによって得られる特有の効果などについて添付の図面を用いて詳細に説明する。
本明細書及び特許請求の範囲に使用された用語や単語は、通常的又は辞典的な意味に限定して解釈してはならず、発明者が自身の発明を最善の方法で説明するために用語の概念を適切に定義することができるとの原則に立脚し、本発明の技術的思想に符合する意味と概念に解釈しなければならない。したがって、本明細書に記載された実施例と図面に示した構成は、本発明の最も望ましい一実施例に過ぎないもので、本発明の技術的思想を全て代弁するものではないので、本出願時点において、これらに取って代わる多様な均等物と変形例があり得ることを理解しなければならない。ここで、各図面に提示した同一の参照符号は、同一の構成要素を示す。
図１は、本発明の立体（３Ｄ）画像視聴用眼鏡に度付きレンズが結合される状態を示した結合斜視図で、図２は、本発明の立体（３Ｄ）画像視聴用レンズ組立体を示した分解断面図で、図３は、本発明の立体（３Ｄ）画像視聴用レンズ組立体を示した分解断面図で、図４は、本発明の立体（３Ｄ）画像視聴用レンズ組立体を示した分解断面図で、図５は、本発明の立体（３Ｄ）画像視聴用レンズ組立体を示した分解断面図である。
本発明の立体画像視聴用レンズ組立体は、アクティブ型レンズ（ＬＣＤパネルレンズ部）で構成された立体画像視聴用レンズ組合体に度付きレンズを一体に付着し、度付きレンズと液晶レンズ部との間の空間での光の屈折を最小化し、光の透過率を高めるようになり、立体感のある鮮明な画質を視聴できることを要旨としている。
本発明は、ＬＣＤパネルレンズ部（アクティブ方式）４０を通して立体画像を視聴できるように構成した立体（３Ｄ）画像レンズ組立体の内側（着用者の目側）に視力矯正用度付きレンズを結合したことを特徴とする。
図１と図２に示すように、本発明のＬＣＤパネルレンズ部４０は、中央に位置する液晶パネル２１と、この液晶パネル２１を保護するために両面に接合されるガラスパネル２２と、このガラスパネル２２の外側に順次積層されるように粘着又は接着されるＴＡＣフィルム２４、ＰＶＡフィルム２６及びＴＡＣフィルム２８と、を含む。
前記外面に位置するＴＡＣパネル２８には位相差フィルム３１を付加し、内面に位置するＴＡＣフィルム２８には度付きレンズ３３を接合する。
度付きレンズ３３、３３−１は、ＣＲ、ＰＣ、ガラス及びアクリルのうちいずれか一つを用いて製造し、これは、ユ−ザの視力に合わせて加工したものである。
このような構成要素のうち、液晶パネル２１は軟質であるので、これを安全に保護するために両面にガラスパネル２２を付加する。
また、ガラスパネル２２の外面に一体に接合されるＴＡＣフィルム２４は、光学的に同一の方向に配向され、透明性及び強度に優れており、温度と湿度の変化時にも寸法の安定性に優れている特性を有するものである。
そして、ＴＡＣフィルム２４の外面に接合されるＰＶＡフィルム２６は、フィルムを一側に延伸した後、ヨ−ド分子、二色性染料などをＰＶＡ高分子間に一方向に配向し、一方向の光のみを通過させ、他の方向の光は吸収することによって、偏光子の機能を行えるように染色と延伸の技術によって製造されるものである。
一方、前記ＰＶＡフィルム２６の外面には、上述したような特性を有するＴＡＣフィルム２８を接合する。
前記外面に位置するＴＡＣフィルム２８には位相差フィルム３１を接着し、この位相差フィルム３１は、左右の画像と偏光をレンズを通して視聴者の目にそれぞれ伝達することによって両眼に視差を発生させるので、立体画像を視聴できるようにする。
また、内面に位置するＴＡＣフィルム２８には、度付きレンズ３３を一体に粘着又は接着する。
前記度付きレンズ３３は、ユ−ザの視力を予め測定して加工したもので、これは、ＣＲ又はＰＣのうちいずれか一つを使用するもので、いずれのものを適用しても効果は同一である。
また、図２と図３に示すように、度付きレンズ３３、３３−１は、外面が平面で、内面が凹面又は凸面である。
他の実施例として、度付きレンズは、外面が凸面で、内面が凹面又は凸面である。
以下、本発明の他の実施例を図４と図５を参照して説明する。
本発明の他の実施例は、ＬＣＤパネルレンズ部（アクティブ方式）４０を通して立体画像を視聴できるように構成した立体（３Ｄ）画像視聴用レンズ組立体において、立体画像を提供するＬＣＤパネルレンズ部４０の内側（着用者の目側）に視力矯正用度付きレンズ３０、３３−１を結合したことを特徴とする。
ＬＣＤパネルレンズ部４０は、中央に位置する液晶パネル２１と、この液晶パネル２１を保護するために両面に接合されるガラスパネル２２と、このガラスパネル２２の外側に順次積層されるように粘着又は接着されるＰＣパネル２３、ＰＶＡフィルム２６及びＰＣパネル２９と、を含む。
前記外面に位置するＰＣパネル２９には位相差フィルム３１を付加し、内面に位置するＰＣパネル２９には度付きレンズ３３を接合する。
前記度付きレンズ３３は、ＣＲ、ＰＣ、ガラス、アクリル及び有機化合物のうちいずれか一つを用いて製造し、これは、ユ−ザの視力に合わせて加工したものである。
このような構成要素のうち、液晶パネル２１、ＰＶＡフィルム２６、位相差フィルム３１及び度付きレンズ３３の特性及び機能は、上述した内容と同一である。
上述したように、単一体のＬＣＤパネルレンズ部４０に立体画像を視聴できる機能を与えるとともに、ユ−ザの視力に合わせて加工した度付きレンズ３３、３３−１を一体に付加することによって、便利な着用はもちろんで、良質の画像視聴が可能になる。
前記度付きレンズ３３、３３−１は、外面が平面で、内面が凹面又は凸面であることを特徴とし、他の実施例の度付きレンズは、外面が凸面で、内面が凹面又は凸面であることを特徴とする。
以上、本発明の実施例について詳細に説明したが、本発明の権利範囲がこれに限定されるわけではなく、下記の特許請求の範囲で定義している本発明の基本概念を用いた当業者の種々の変形及び改良形態も本発明の権利範囲に属するものである。
【符号の説明】
【０００８】
２１    液晶パネル
２２    ガラスパネル
２３    ＰＣパネル
２４    ＴＡＣフィルム
２６    ＰＶＡフィルム
３１    位相差フィルム
３３、３３−１    度付きレンズ
４０    ＬＣＤパネルレンズ部
【図１】
2011227431.tif 000003
【図２】
2011227431.tif 000004
【図３】
2011227431.tif 000005
【図４】
2011227431.tif 000006
【図５】
2011227431.tif 000007